(57)【要約】      （修正有）【課題】セシウム等の放射性物質が拡散するのを可及的に防止する放射性物質拡散防止装置を提供する。【解決手段】水面に浮く浮き部２と、浮き部に上端が取り付けられて通水性及び放射性物質を吸着する吸着機能を有するとともに土粒子１２の透過を防止しかつ水に沈むシート体３１を備えたカーテン部３とからなる。シート体を、間隔をあけて複数設けるとともに、シート体間に、間隔を保持するスペーサ３２を設ける。スペーサは、浮き部に吊下げ支持されて通水性及び放射性物質を吸着する吸着機能を有するとともに水に沈む機能を有し、また、シート体及びスペーサは、プルシアンブルーを含浸または塗布させた不織布若しくはフェルトであるのが好ましい。【選択図】図１
0003195852.tif 000002
【実用新案登録請求の範囲】
【請求項１】
水面に浮く浮き部と、前記浮き部に上端が取り付けられて通水性及び放射性物質を吸着する吸着機能を有するとともに土粒子の透過を防止するシート体を備えたカーテン部とからなる放射性物質拡散防止装置であって、前記カーテン部は、前記シート体を間隔をあけて複数設けるとともに、前記シート体間に、前記間隔を保持するスペーサを設けたことを特徴とする放射性物質拡散防止装置。
【請求項２】
前記スペーサは、前記浮き部に吊下げ支持されて通水性及び放射性物質を吸着する吸着機能を有するとともに水に沈む機能を有する請求項１に記載の放射性物質拡散防止装置。
【請求項３】
前記シート体及びスペーサは、プルシアンブルーを含浸または塗布させた不織布若しくはフェルトである請求項１又は２に記載の放射性物質拡散防止装置。
【請求項４】
前記スペーサは、前記不織布若しくはフェルトを積層した積層体又は巻き上げた巻体である請求項３に記載の放射性物質拡散防止装置。
【請求項５】
前記シート体の下端に、水底又は水底近傍に位置される錘を取り付けた請求項１〜４のいずれか１項に記載の放射性物質拡散防止装置。
【請求項６】
前記カーテン部は、ため池、調整池、ダム、貯水池、湖沼等の水域を水が流入する流入域と水が流出する流出域とに仕切るように設置されている請求項１〜５のいずれか１項に記載の放射性物質拡散防止装置。
【考案の詳細な説明】
【技術分野】
【０００１】
本考案は、ため池、調整池、ダム、貯水池、湖沼等の水域に流入したセシウム等の放射性物質の拡散を防止する放射性物質拡散防止装置に関するものである。
【背景技術】
【０００２】
福島県等のため池、調整池、ダム、貯水池、湖沼、例えば、農業用ため池、農業用調整池、農業用ダム等では、東日本大震災により発生した原子力発電所の事故により生じた放射性物質が検出されている。ため池の貯留水中のセシウムは、水中に溶け込んだ溶存態のものと、土粒子やその他の浮遊物質に吸着・固定された懸濁態のものとがある。ため池のように閉塞性の高い水域においては、土粒子や浮遊物質は沈降・堆積し、底質がより高濃度のセシウムが凝縮することとなる。
【０００３】
セシウムが吸着した微細な土粒子は、静穏な状態では沈降し底に堆積するが、風や周辺地域からの水の流入によって、土粒子が巻き上がることが考えられる。特に水深の低いため池で水位が下がった状態では、強風による吹送流等により地底が撹拌され、容易に土粒子が巻き上がり、貯留水全体にセシウムが浮遊した状態になる。そのため池等の水を農業用等に使用すると、農地等へ汚染が拡散することが考えられる。
【０００４】
農業用池等の水域に流入したセシウム等の放射性物質の拡散を防止する手段としては、浮き部と、浮き部に取り付けられて通水性及び放射性物質を吸着する吸着機能を有するカーテン部とからなる放射性物質拡散防止装置が知られている。この放射性物質拡散防止装置を用いることにより、放射性物質が拡散するのを防止しようとするものである。
【先行技術文献】
【特許文献】
【０００５】
【特許文献１】特開２０１３１３６５９号公報
【考案の概要】
【考案が解決しようとする課題】
【０００６】
ところで、カーテン部は、可撓性の材料からなるシート状又は布状のシート体に放射性物質を吸着する吸着機能を持たせたものであるが、１つのシート体で形成されていると、放射性物質を十分に吸着させることができないことがあり、その結果、放射性物質が拡散することがあり得る。
【０００７】
そこで、本考案は、セシウム等の放射性物質が拡散するのを可及的に防止する放射性物質拡散防止装置を提供することにある。
【課題を解決するための手段】
【０００８】
前記課題を解決するため、本考案に係る放射性物質拡散防止装置は、水面に浮く浮き部と、前記浮き部に上端が取り付けられて通水性及び放射性物質を吸着する吸着機能を有するとともに土粒子の透過を防止するシート体を備えたカーテン部とからなる放射性物質拡散防止装置であって、前記カーテン部は、前記シート体を間隔をあけて複数設けるとともに、前記シート体間に、前記間隔を保持するスペーサ３２を設けたことを特徴とする。
【０００９】
このように、シート体は、土粒子の透過を防止することで、土粒子がシート体を通って流出することが防止される。また、シート体は、放射性物質を吸着する吸着機能を有することで、水がシート体を通ったとき、水に含まれる放射性物質がシート体に吸着される。このシート体を間隔をあけて複数設けることで、シート体を通ってシート体の間に流入した水は、シート体の間で滞留するので、シート体に接触する機会が多くなる。さらに、シート体間の水は、そのシート体の間に入るために通ったシート体とは別のシート体を通る。このように水は、シート体を通り、シート体間で滞留し、そしてシート体を通るので、シート体に接触する機会が多いので、放射性物質がシート体に十分に吸着されることになり、セシウム等の放射性物質の拡散を可及的に防止することが可能となる。
【００１０】
この考案において、スペーサを、浮き部に吊下げ支持されて通水性及び放射性物質を吸着する吸着機能を有するとともに水に沈む機能を有するように形成することができる。シート体及びスペーサは、プルシアンブルーを含浸または塗布させた不織布若しくはフェルトであることが好ましい。スペーサは、不織布若しくはフェルトを積層した積層体又は巻き上げた巻体で形成することができる。また、シート体の下端に、水底又は水底近傍に位置される錘を取り付けることができる。さらに、カーテン部は、ため池、調整池、ダム、貯水池、湖沼等の水域を水が流入する流入域と水が流出する流出域とに仕切るように設置することができる。
【考案の効果】
【００１１】
本考案によれば、セシウム等の放射性物質が拡散するのを可及的に防止することができる。
【図面の簡単な説明】
【００１２】
【図１】本考案に係る放射性物質拡散防止装置の一例を示す概略図である。
【図２】本実施形態の放射性物質拡散防止装置をため池に設置した一例を示す概略斜視図である。
【図３】本実施形態の放射性物質拡散防止装置をため池に設置した一例を示す概略平面図である。
【図４】本実施形態の放射性物質拡散防止装置の一例を示す概略断面図である。
【図５】本実施形態の放射性物質拡散防止装置の一例を示す正面図である。
【考案を実施するための形態】
【００１３】
以下、本考案に係る放射性物質拡散防止装置の一例を示す概略正面図の一実施形態を添付図面に基づいて説明する。図１及び図２に示すように、本実施形態の放射性物質拡散防止装置１は、水面に浮く浮き部２と、通水性及び放射性物質を吸着する吸着機能を有するカーテン部３とからなる。本実施形態の放射性物質拡散防止装置１は、農業用等のため池、農業用等の調整池、農業用等のダム、農業用等の貯水池、湖沼、例えば、農業用ため池１０において、水域を水が流入する流入域と水が流出する流出域とに仕切るように設置されるものである。
【００１４】
浮き部２は、水面に浮くものであれば特に限定されず、例えば、ブイ、フロート、袋体、筒体等を備えたもの等である。浮き部２としては、例えば、ターポリンなどの塩化ビニール、ポリエチレンクロス、ポリエステルタフナー、ナイロンタフナー等の防水シート２１に複数のフロート２２を間隔をあけて収納したもの等を用いるようにしてもよい。防水シート２１は、複数のフロート２２を収納した１つのシートでもよいし、複数のフロート２２を収納したシートを連結して所望の長さに形成したものでもよい。防水シート２１は、例えば、幅２０ｍ、高さ６８．５ｃｍの長方形状に形成されている。
【００１５】
浮き部２のほぼ半分より上方が、フロート２２を幅方向に間隔をあけて収納する収納部２ａとして形成されている。収納部２ａは、例えば、円柱状のフロート２２を軸が幅方向に沿うように収納し得るように形成されている。収納部２ａは、テンションベルト２３により四辺が区画されている。収納部２ａを区画する下辺となるテンションベルト２３は、上下に２つ配置されている。なお、収納部２ａを区画する下辺となるテンションベルト２３は、２つに限定されず、１つでも３つ以上でもよい。また、下辺以外の３辺となるテンションベルト２３は、それぞれ１つであるが、１つに限定されず、２つ以上でもよい。また、下辺となるテンションベルト２３の両端には、Ｄ環金具２４が取り付けられている。
【００１６】
防水シート２１の下端には、その長手方向に沿って連結部材例えばジョイントベルト２５が縫製等により取り付けられている。ジョイントベルト２５には、連結穴が間隔をあけて多数設けられている。連結穴は、カーテン部３を構成するシート体３１とスペーサ３２とを取り外し可能に取り付けるためのものである。ジョイントベルトは、シート体３１とスペーサ３２毎に複数設けてもよいし、１つ設けてすべてのシート体３１とスペーサ３２を連結するようにしてもよい。本実施形態では、ジョイントベルト２５を１つ設ける場合について説明する。
【００１７】
カーテン部３は、シート体３１を間隔をあけて複数例えば２つ設けるとともに、シート体３１間に間隔を保持するスペーサ３２を設けたものである。
【００１８】
シート体３１は、通水性及び放射性物質を吸着する吸着機能を有するとともに土粒子１２の透過を防止するものであり、比重が１より大きなものが好ましい。シート体３１としては、例えば、安価に容易に製造等し得る観点からセシウムを選択的に吸着するプルシアンブルーを含浸または塗布させた布、不織布又はフェルト等で特にプルシアンブルーを含浸または塗布させた比重１．１の不織布であることが好ましい。なお、本実施形態では特にセシウムを吸着する場合について説明するが、プルシアンブルーと一緒に、又は、プルシアンブルーとは別に、ゼオライト、ベントナイト等の他の吸着材を用いてセシウムとともにセシウム以外の他の放射性物質例えばヨウ素やストロンチウム等も吸着させるようにしてもよい。シート体３１の基材としては、布（織布や編布）、不織布又はフェルト等を用いることができ特に限定されないが、不織布であることが好ましい。不織布としては、公知のものを用いることができ、例えば、ケミカルボンド不織布、サーマルボンド不織布、エアースルー不織布、エアレイド不織布、スパンレース不織布、スパンボンド不織布、ニードルパンチ不織布等が挙げられる。
【００１９】
プルシアンブルーは、セシウムを選択的に吸着するためにセシウムの吸着能力が高いものとして知られている。プルシアンブルーとしては、公知のものを用いることができ、例えば、粒径が小さく比表面積が大きく高い吸着効果が得られることからナノ粒子のものを用いることも一つの方法である。プルシアンブルーを付着させる手段としては、塗布、含浸等が挙げられるが、バインダーを用いてプルシアンブルーを含浸または塗布させることが好ましい。バインダーとしては、公知のものを用いることができ、例えば、塩化ビニル系樹脂、塩化ビニリデン系樹脂、酢酸ビニル系樹脂、ポリビニルアルコール系樹脂、アルキッド系樹脂、エポキシ系樹脂、アクリロニトリル−ブタジエン系樹脂、ポリウレタン系樹脂、ポリウレア系樹脂、セルロース系樹脂、アクリル系樹脂、ポリブチラール系樹脂、ポリエステル系樹脂、フッ素系樹脂、メラミン系樹脂、尿素系樹脂、ポリアミド系樹脂、フエノール系樹脂、ポリスチレン系樹脂等が挙げられ、特に好ましいものはシート体３１に剛性を持たせて自立可能にする樹脂が好ましい。すなわち、シート体３１は、バインダーを用いてプルシアンブルーを含浸または塗布により付着させるとともに剛性を持たせて自立可能にした不織布で形成されていることが好ましい。また、シート体３１は、水を透過させることができれば透水性について特に限定されないが、例えば、透水係数が１×１０−２ｃｍ／ｓｅｃ程度であることが好ましい。
【００２０】
プルシアンブルーの付着量は、水がシート体３１を通ったとき、水の放射性物質の値が排水における放射性物質の基準値以下になる範囲から任意に設定され、例えば、１ｍ２当たり必要の量は、除染廃棄物のセシウム量によって決定されるが、約５ｇ〜１０ｇである。すなわち、シート体３１は、放射性物質であるセシウムをろ過吸収しながら水を排出するものである。また、シート体３１の厚さは、特に限定されず、水底に堆積しているセシウム等の放射性物質を含んだ土粒子１２を放射性物質とともに封じ込める範囲から任意に設定される。
【００２１】
シート体３１は、農業用ため池１０の水域を水が流入する流入域と水が流出する流出域とに仕切り得る所望の大きさ、例えば、取水口１１の近傍の水域が流出域となるように水域を仕切る大きさに形成されている。シート体３１は、１つのシート体３１で形成してもよいが、大きさが大きすぎて１つのシート体３１で形成できない場合には、例えば、複数の横長の四角形状のシート体３１を前後左右例えば左右に配置して繋ぎ合わせて形成するようにしてもよい。具体的には例えば、幅（長辺）が２０ｍ、高さ（短辺）が２ｍの横長四角形状のシート体３１の４辺の各縁部にジョイントベルト３５が縫製等により取り付けられている。ジョイントベルト３５としては、シート体３１を繋ぎ合わせる際に用いられる公知のものを用いることができ、例えば、ベルト３５の長手方向に２００ｍｍピッチで穴が設けられている帯状のもの等を用いることができる。例えば、２つのシート体３１を例えば重ね合わせて、この２つのシート体３１のジョイントベルト３５と浮き部２のジョイントベルト２５とをロープ、結束バンド、ジョイント紐等の連結材によって互いに連結することで、２つのシート体３１と浮き部２とを連結することができる。この連結材の連結を解除することで、シート体３１や浮き部２の交換やメンテナンスを容易に行えるようになる。
【００２２】
２つのシート体３１の間には、シート体３１の間隔を保持するスペーサ３２が設けられている。スペーサ３２は、シート体３１の間隔を保持することができればどのようなものでもよいが、シート体３１と同じ材料で形成されていることが好ましい。すなわち、スペーサ３２は、セシウムを選択的に吸着するプルシアンブルーを含浸または塗布させた布、不織布又はフェルト等で特にプルシアンブルーを含浸または塗布させた比重１．１の不織布で形成されていることが好ましい。スペーサ３２としては、例えば、プルシアンブルーを含浸または塗布させた比重１．１の不織布を巻いて所望の厚さ（例えば直径１０ｃｍ）に形成した巻き体や、プルシアンブルーを含浸または塗布させた比重１．１の不織布を積層して所望の厚さ（例えば１０ｃｍ）に形成した積層体等である。スペーサ３２は、例えば、ロープ、結束バンド、ジョイント紐等の連結部材によって浮き部２のジョイントベルト２５に吊り下げ支持されている。このスペーサ３２は、シート体３１の間隔を保持するようにシート体３１の幅方向に間隔をあけて複数設けられている。
【００２３】
また、２つのシート体３１の下端のジョイントベルト３５には、水中でシート体３１が張った状態を維持するためにロープ、結束バンド、ジョイント紐等の連結部材によって錘５が取り付けられている。錘５としては、特に限定されず、例えば、金属体、チェーン、ワイヤーロープ、土嚢袋、コンクリートブロック等を用いることができる。シート体３１の高さ方向の長さ（高さ）は、放射性物質拡散防止装置１を例えば農業用ため池１０に設置した際にシート体３１の弛みがないか又は弛みが少ない状態で下端部が水底に接する寸法や下端部が水底の近傍に位置される寸法で形成されていることが好ましい。
【００２４】
次に、上記のように構成した本実施形態の放射性物質拡散防止装置１を農業用ため池１０に設置する場合について説明する。例えば、浮き部２とカーテン部３、スペーサ３２とが連結されていない場合には、浮き部２とスペーサ３２とを連結部材により連結してから、スペーサ３２を挟むように２つのカーテン部３を重ね合せた状態で２つのカーテン部３と浮き部２とを連結部材により連結する。連結後、２つのカーテン部３の下部に錘５を取り付ける。
【００２５】
そして、例えば、図３に示すように、取水口１１を挟んだ農業用ため池１０の所望の２箇所に放射性物質拡散防止装置１を固定するための固定具例えば鉄筋杭１５を打ち込む。この杭１５の一方に放射性物質拡散防止装置１の一方の端部をＤ環金具２４を介して固定し、放射性物質拡散防止装置１の他方の端部のＤ環金具２４に牽引ロープ等を取り付ける。この牽引ロープ等により、放射性物質拡散防止装置１の他方の端部を他方の杭１５に牽引して、放射性物質拡散防止装置１の他方の端部をＤ環金具２４を介して他方の杭１５に固定する。
【００２６】
これにより、取水口１１の近傍の水域が放射性物質拡散防止装置１で覆われて、農業用ため池１０が水が流入した滞留する流入域と水が流出する流出域とに仕切られ、放射性物質拡散防止装置１が農業用ため池１０に設置される。このとき、放射性物質拡散防止装置１の浮部をアンカー例えば４つ爪アンカー１６にアンカーロープ１７を介して繋ぐようにしてもよい。これにより、放射性物質拡散防止装置１を水域の所定の位置に係留することができる。
【００２７】
放射性物質拡散防止装置１を設置することで、農業用ため池１０では、水中に土粒子１２が浮遊していると、取水口１１から流出することがあるが、シート体３１が土粒子１２の透過を防止するので、土粒子１２がシート体３１を通って取水口１１から流出することが防止される。例えば、浚渫工事、河川の流入吹送流等に起因して土粒子１２が池底から舞い上がるが、この舞い上がった土粒子１２が取水口１１から流出することが防止される。また、農業用ため池１０に流入して沈降する前の土粒子１２が取水口１１から流出することも防止される。さらに、シート体３１に土粒子１２がぶつかると、土粒子１２の流速が遅くなり、土粒子１２の沈降が促されるので、土粒子１２の取水口１１からの流出が防止される。このように、土粒子１２が取水口１１から流出することが防止されることで、土粒子１２に付着している放射性物質の取水口１１からの流出も防止されるので、放射性物質の拡散を防止することができる。
【００２８】
また、シート体３１は、放射性物質を吸着する吸着機能を有することで、水がシート体３１を通ったとき、水に溶存する放射性物質がシート体３１に吸着される。このシート体３１を間隔をあけて複数（２つ）設けることで、シート体３１を通ってシート体３１の間に流入した水は、シート体３１の間で滞留するので、シート体３１に接触する機会が多くなる。さらに、シート体３１間の水は、そのシート体３１の間に入るために通ったシート体３１とは別のシート体３１を通る。このように水は、シート体３１を通り、シート体３１間で滞留し、そしてシート体３１を通るので、シート体３１に接触する機会が多いので、放射性物質がシート体３１に十分に吸着されることになり、セシウム等の放射性物質の拡散を可及的に防止することができる。
【００２９】
従って、本実施形態の放射性物質拡散防止装置１は、土粒子１２に付着している放射性物質の取水口１１からの流出が防止されるとともに、水に溶存するセシウム等の放射性物質がシート体３１に吸着されるので、セシウム等の放射性物質が拡散するのを可及的に防止することができる。
【符号の説明】
【００３０】
１  放射性物質拡散防止装置
２  浮き部
３  カーテン部
１０  ため池
１１  取水口
１２  土粒子
３１  シート体
３２  スペーサ
【図１】
0003195852.tif 000003
【図２】
0003195852.tif 000004
【図３】
0003195852.tif 000005
【図４】
0003195852.tif 000006
【図５】
0003195852.tif 000007